(57)【要約】【課題】管理対象である機能が異なる複数の空調機に対し、操作部の複雑化を招くことなく、各空調機の容易かつ的確な集中管理が可能な操作性にすぐれた集中コントローラを提供する。【解決手段】各室内空調機１，２との通信により各室内空調機１，２の機能を検出しておき、操作部１３の操作により指定される室内空調機に固有の機能を上記検出結果に応じて判定し、判定した機能を操作部１３における釦３７に割り当てる。【選択図】図１
2010164212.tif 000002
【特許請求の範囲】
【請求項１】
表示部および操作部を有し、複数の空調機を集中管理する集中コントローラにおいて、
前記各空調機との通信により、前記各空調機の機能を検出する検出手段と、
前記操作部の操作に応じて前記各空調機を選択的に指定する指定手段と、
この指定手段により指定される空調機の機能を、前記検出手段の検出結果に応じて判定する判定手段と、
この判定手段で判定される機能を、前記操作部における所定の操作キーに割り当てる制御手段と、
を備えることを特徴とする集中コントローラ。
【請求項２】
前記操作キーの操作時、その操作キーに割り当てられている機能のオン・オフに関する指令を、同機能を有する全ての空調機に一斉送信する制御手段、をさらに備えることを特徴とする請求項１記載の集中コントローラ。
【請求項３】
前記操作キーに割り当てられた機能を前記表示部で表示する制御手段、をさらに備えることを特徴とする請求項１または請求項２記載の集中コントローラ。
【発明の詳細な説明】
【技術分野】
【０００１】
この発明は、複数の空調機を集中管理する集中コントローラに関する。
【背景技術】
【０００２】
店舗内に設置されている複数の設備機器をそれぞれ端末制御装置を介して一括管理する中央管理装置が知られている（例えば特許文献１）。
【先行技術文献】
【特許文献】
【０００３】
【特許文献１】特開平１１−３１１４６３号公報
【発明の概要】
【発明が解決しようとする課題】
【０００４】
上記の中央管理装置の場合、各設備機器の種類が異なると、その種類に対応する多数の機能が存在するため、操作キーが増えて操作部が複雑になるという問題がある。
【０００５】
この発明は、上記の事情を考慮したもので、その目的は、管理対象である複数の空調機の機能が異なっていても、操作部の複雑化を招くことなく、各空調機の容易かつ的確な集中管理が可能な操作性にすぐれた集中コントローラを提供することである。
【課題を解決するための手段】
【０００６】
請求項１に係る発明の集中コントローラは、表示部および操作部を有し、複数の空調機を集中管理するものであって、前記各空調機との通信により、前記各空調機の機能を検出する検出手段と、前記操作部の操作に応じて前記各空調機を選択的に指定する指定手段と、この指定手段により指定される空調機の機能を、前記検出手段の検出結果に応じて判定する判定手段と、この判定手段で判定される機能を、前記操作部における所定の操作キーに割り当てる制御手段と、を備える。
【発明の効果】
【０００７】
この発明の集中コントローラによれば、管理対象である複数の空調機の機能が異なっていても、操作部の複雑化を招くことなく、各空調機の容易かつ的確な集中管理が可能となり、操作性の向上が図れる。
【図面の簡単な説明】
【０００８】
【図１】この発明の一実施形態および各室内空調機の構成を示すとともに、各室内空調機のうち換気機能がオンされる室内空調機を示す図。
【図２】一実施形態の制御回路のブロック図。
【図３】一実施形態の表示部および操作部の具体的な構成を示す図。
【図４】一実施形態の電源投入直後の初期動作を説明するための図。
【図５】一実施形態の表示部における換気機能オフ時の表示を示す図。
【図６】一実施形態の表示部における換気機能オン時の表示を示す図。
【図７】一実施形態の換気指令のフォーマットを示す図。
【図８】一実施形態の換気機能のオン・オフに関する動作を示す図。
【図９】一実施形態の表示部におけるダンパー機能オフ時の表示を示す図。
【図１０】一実施形態の表示部におけるダンパー機能オン時の表示を示す図。
【図１１】一実施形態に関わる各室内空調機のうちダンパー機能がオンされる室内空調機を示す図。
【図１２】一実施形態のダンパー機能のオン・オフに関する動作を示す図。
【発明を実施するための形態】
【０００９】
以下、この発明の一実施形態について図面を参照しながら説明する。  
図１において、１０は集中コントローラで、前面に表示部１１および開閉カバー１２を有し、開閉カバー１２を開くと後述の操作部１３が露出する。この集中コントローラ１０に、通信ラインを介して、複数たとえば６台の室内空調機１と３台の室内空調機２が接続される。これら室内空調機１，２は互いに種類が異なり、室内空調機１が換気機能を有する機種Ａ，室内空調機２が風量調節用のダンパー機能を有する機種Ｂである。
【００１０】
集中コントローラ１０は、図２に示すように、制御部２０に表示部１１、操作部１３、ＲＯＭ２１、ＲＡＭ２２、送受信部２３を接続してなる制御回路を有する。ＲＯＭ２１には、制御プログラム、室内空調機から受けた情報に基づいて各室内空調機の機種（種類）を検出するための機種検出用データ、室内空調機の機種と機能とを対応付けた機能判定用データなどが格納されている。ＲＡＭ２２は、制御用の種々のデータを記憶するためのものである。
【００１１】
表示部１１および操作部１３の具体例を図３に示す。表示部１１は、液晶表示パネルであり、室内空調機１，２の運転に関わる種々の情報を点灯・消灯式の文字パターン、数値表示用の７セグメント表示素子、機器番号を表示するための“１”〜“６４”の数字パターン、これら数字パターンの下方に存する運転状態報知用の下線パターン、ルーバの動きを表示するためのイラストパターンなどを有する。操作部１３は、表示部１１の下方の運転キー釦３１および停止キー釦３２が設けられている部分と、開閉カバー１２を開くことにより露出する部分とからなる。なお、図３はカバー１２を開いた状態を示している。このカバー内部部分には、主要な操作手段として、ライン切換キー釦３３、一斉／ゾーン／グループキー釦３４、ゾーン切換キー釦３５、グループ切換キー釦３６、換気orダンパーキー釦３７などが設けられている。ライン切換キー釦３３は、図１に示した９台の室内空調機１，２からなる第１ライン、および別の複数台の室内空調機からなる第２ラインのうち、いずれかのラインを選択するためのものである。一斉／ゾーン／グループキー釦３４は、ライン切換キー釦３３で選択されるラインの各室内空調機のうち、全ての室内空調機を指定する一斉モード、複数のゾーンに区分される室内空調機をゾーン別に指定するためのゾーンモード、複数のグループに分類される室内空調機をグループ別に指定するためのグループモードを、選択的に設定するためのものである。グループモードでは、１つの室内空調機を１つのグループと見なして個別指定することができる。ゾーン切換キー釦３５は、ゾーンモードが設定された場合に、いずれかのゾーンを選択的に指定するためのものである。グループ切換キー釦３６は、グループモードが設定された場合に、いずれかのグループを選択的に指定するためのものである。換気orダンパーキー釦３７は、機種Ａに固有の換気機能および機種Ｂに固有のダンパー機能の操作に兼用されるキーであり、制御部２０によって決定されるいずれか一方の機能のオン・オフ設定用として使用される。
【００１２】
そして、制御部１１は、主要な機能として、次の（１）〜（６）の手段を有する。  
（１）各室内空調機１，２との通信により、各室内空調機１，２の種類（機種ＡorＢ）を取得し、その種類からその種類が保有する機能を検出する検出手段。
【００１３】
（２）操作部１３の操作に応じて各室内空調機１，２を選択的に指定する指定手段。
【００１４】
（３）この指定手段により指定される室内空調機が保有する機能である換気機能orダンパー機能を、上記検出手段の検出結果に応じて判定する判定手段。
【００１５】
（４）この判定手段で判定される機能を、操作部１３における所定の操作キーである換気orダンパーキー釦３７に割り当てる制御手段。
【００１６】
（５）換気orダンパーキー釦３７の操作時、その換気orダンパーキー釦３７に割り当てられている機能（換気機能orダンパー機能）のオン・オフに関する指令を、同機能を有する全ての室内空調機（各室内空調機１or各室内空調機２）に一斉送信する制御手段。
【００１７】
（６）換気orダンパーキー釦３７に割り当てられた機能を表示部１１で表示する制御手段。
【００１８】
つぎに、作用を説明する。  
図４に示すように、集中コントローラ１０で電源が投入されると、集中コントローラ１０に接続されている全ての室内空調機１，２に対し、接続機器確認用の信号が送信される。この送信を受けた室内空調機１，２は、自己の機種を表す機器情報を集中コントローラ１０に返信する。この機器情報は集中コントローラ１０のＲＡＭ２２に記憶される。
【００１９】
集中コントローラ１０では、受信した機器情報に基づいてＲＯＭ２１内の機種検出用データが参照されることにより、室内空調機１，２の種類（機種ＡorＢ）が検出される。そして、ライン切換キー釦３３によって第１ラインの室内空調機１，２が指定され、かつ一斉／ゾーン／グループキー釦３４で一斉モードが設定されていれば、図５に示すように、表示部１１のライン表示エリア１１ａにおける“ライン”の文字パターンが点灯し、モード表示エリア１１ｂにおける“一斉”の文字パターンが点灯し、機器番号表示エリア１１ｃにおける室内空調機１，２の機器番号“１”〜“９”が点灯する。
【００２０】
この表示において、機器番号“１”〜“９”のうち、“１”のみ“［１］”のように括弧で囲まれている。この括弧の表示は、グループ切換キー釦３６の操作ごとに“１”〜“９”に対して順次に移行可能であり、“［１］”は機器番号“１”の室内空調機１が指定されていることを表す。なお、本説明においては、図１中の室内機に記載した「Ｎｏ」の後の番号を機器番号とし、“［  ］”内の機器番号と一致させて示している。この指定された機器番号“１”の室内空調機１については、機種Ａであることが予め検出されているので、室内空調機１が保有する固有の機能は換気機能であると判定される。この判定結果に基づき、操作部１３の換気orダンパーキー釦３７に対し、換気機能が割り当てられる。これに伴い、表示部１１の機能表示エリア１１ｄにおける“換気”および“オフ”の文字パターンが点灯する。これは、機器番号“１”の室内空調機１の換気機能がオフであることを表す。
【００２１】
この状態で、換気orダンパーキー釦３７が押されると、図６に示すように、表示部１１の機能表示エリア１１ｄにおける“換気”の文字パターンの点灯はそのままに、“オフ”の文字パターンが消灯して“オン”の文字パターンが点灯する。これに伴い、第１ラインの室内空調機１，２のうち、機種Ａである室内空調機１の全てに対し、図７に示すフォーマットの換気指令（オン信号）が一斉送信される。この換気指令の一斉送信により、図１に破線で示すように、機種Ａである室内空調機１の全てにおいて換気機能がオンされる。この際、すでに換気機能がオンしている機種Ａの室内空調機１はオンしたままで維持される。
【００２２】
この後、換気orダンパーキー釦３７が再び押された場合には、図５のように、機能表示エリア１１ｄにおける“オン”の文字パターンが消灯して“オフ”の文字パターンが点灯する。これに伴い、機種Ａである室内空調機１の全てに対し、換気停止指令（オフ信号）が一斉送信される。この換気停止指令の一斉送信により、機種Ａである室内空調機１の全てにおいて換気機能がオフされる。
【００２３】
一斉／ゾーン／グループキー釦３４でゾーンモードまたはグループモードが設定された場合には、ゾーン切換キー釦３５またはグループ切換キー釦３６で指定されるゾーンまたはグループに含まれる室内空調機１の個々に対し、換気orダンパーキー釦３７の操作に応じて、換気指令または換気停止指令が逐次に送信されて各々の換気機能がオン・オフされる。すなわち、機器番号表示エリア１１ｃにおいて機種Ａである室内空調機１の機器番号が選択されている。すなわち機種Ａの機器番号が括弧で囲まれている限り、換気orダンパーキー釦３７は換気釦として機能し、機能表示エリア１１ｄでは換気機能の動作状態が表示される。なお、グループとして１台の室内空調機を割り当てている場合には、この操作は、当該１台の室内空調機の換気機能がオン・オフされる。  
ここまでの機種Ａの室内空調機１の指定から換気指令の送信までの動作を図８に示している。
【００２４】
また、一斉モードが設定された状態で、グループ切換キー釦３６が操作されて、図９に示すように、機器番号表示エリア１１ｃにおける機器番号“２”が“［２］”表示されると、機器番号“２”の室内空調機２が指定される。指定された機器番号“２”の室内空調機２については、機種Ｂであることが予め検出されているので、室内空調機２に固有の機能はダンパー機能であると判定される。この判定に基づき、操作部１３の換気orダンパーキー釦３７に対し、ダンパー機能が割り当てられる。これに伴い、表示部１１の機能表示エリア１１ｄにおける“ダンパー”および“オフ”の文字パターンが点灯する。これは、機器番号“２”の室内空調機２のダンパー機能がオフであることを表す。
【００２５】
この状態で、換気orダンパーキー釦３７が押されると、図１０に示すように、表示部１１の機能表示エリア１１ｄにおける“ダンパー”の文字パターンの点灯はそのままに、“オフ”の文字パターンが消灯して“オン”の文字パターンが点灯する。これに伴い、第１ラインの室内空調機１，２のうち、機種Ｂである室内空調機２の全てに対し、ダンパーオン指令が一斉送信される。このダンパーオン指令の一斉送信により、図１１に破線で示すように、機種Ｂである室内空調機２の全てにおいて、それ以前のダンパーのオン・オフ状態にかかわらずダンパー機能がオンされ、表示部１１の機能表示エリア１１ｄにおける“ダンパ”の文字パターンの点灯はそのままに、“オフ”の文字パターンが消灯して“オン”の文字パターンが点灯する。
【００２６】
この後、換気orダンパーキー釦３７が再び押された場合には、図９のように、機能表示エリア１１ｄにおける“オン”の文字パターンが消灯して“オフ”の文字パターンが点灯する。これに伴い、機種Ｂである室内空調機２の全てに対し、ダンパーオフ指令が一斉送信される。このダンパーオフ指令の一斉送信により、機種Ｂである室内空調機２の全てにおいてダンパー機能がオフされる。この時には表示部１１の機能表示エリア１１ｄにおける“ダンパー”の文字パターンが点灯する。
【００２７】
機器番号表示エリア１１ｃにおいて機種Ｂである室内空調機２の機器番号が選択されている状態で、一斉／ゾーン／グループキー釦３４でゾーンモードまたはグループモードが設定された場合には、ゾーン切換キー釦３５またはグループ切換キー釦３６で指定されるゾーンまたはグループの室内空調機２の個々に対し、換気orダンパーキー釦３７の操作に応じて、ダンパーオンまたはオフ指令が逐次に送信されて各々のダンパー機能がオン・オフされる。  
ここまでの機種Ｂの室内空調機２の指定から換気指令の送信までの動作を図１２に示している。
【００２８】
このように、各室内空調機１，２との通信により各室内空調機１，２の種類を検出しておき、操作部１３の操作によち指定される室内空調機に固有の機能を上記検出結果に応じて判定し、判定した機能を操作部１３における釦３７の操作機能に割り当てるようにしたので、管理対象である複数の室内空調機の種類（機能）が異なっていても、操作部１３の複雑化を招くことなく、各室内空調機の容易かつ的確な集中管理が可能となり、操作性の向上が図れる。上記実施形態では、換気とダンパーの機能について表示および釦の機能切換ができるようにしたが、同じ１台の室内空調機に２つ以上の機能が付かない限り、過失機能、空気清浄機能などのさらに複数種の機能切換を行わせることも可能である。
【００２９】
なお、上記実施形態では、１ラインの室内空調機が９台で、そのうち機種Ａの室内空調機１が６台、機種Ｂの室内空調機２が３台の場合を例に説明したが、これら台数については適宜に選定可能である。その他、この発明は上記各実施形態に限定されるものではなく、要旨を変えない範囲で種々変形実施可能である。
【符号の説明】
【００３０】
１…機種Ａの室内空調機、２…機種Ｂの室内空調機、１０…集中コントローラ、１１…表示部、１１ａ…ライン表示エリア、１１ｂ…モード表示エリア、１１ｃ…機器番号表示エリア、１１ｄ…機能表示エリア、１２…開閉カバー、１３…操作部、２０…制御部、２１…ＲＯＭ、２２…ＲＡＭ、２３…送受信部、３１…運転キー釦、３２…停止キー釦、３３…ライン切換キー釦、３４…一斉／ゾーン／グループキー釦、３５…ゾーン切換キー釦、３６…グループ切換キー釦、３７…換気orダンパーキー釦
【図１】
2010164212.tif 000003
【図２】
2010164212.tif 000004
【図３】
2010164212.tif 000005
【図４】
2010164212.tif 000006
【図５】
2010164212.tif 000007
【図６】
2010164212.tif 000008
【図７】
2010164212.tif 000009
【図８】
2010164212.tif 000010
【図９】
2010164212.tif 000011
【図１０】
2010164212.tif 000012
【図１１】
2010164212.tif 000013
【図１２】
2010164212.tif 000014